(57)【要約】【課題】  本発明は、複数のサービスの供与に対応することが可能な、電子タグを有する携帯機器を提供することを課題とする。【解決手段】  電子タグを用いて受けるサービスを変更する場合、携帯機器３１を公衆ネットワーク３４を介してＩＤ管理サーバ３２と接続し、設定されているサービスの変更を要請する。この要請を受けるとＩＤ管理サーバ３２は、携帯機器３１の認証終了後、ＩＤデータベース３５に登録されているサービスから次に設定するサービスをユーザに選択させ、携帯機器３１内の電子タグ内のＩＣデータを選択されたサービスに対応するＩＣデータに書き換える。これによって、ユーザは希望のサービスを携帯機器３１を電子タグとして用いて供与することが出来る。【選択図】      図４
2005109652.tif 000002
【特許請求の範囲】
【請求項１】
電子タグを一意に識別するＩＤコード、及びサービス提供者がサービスを供与する際に用いるＩＣデータを記憶する電子タグと、
通信回線と接続する通信手段と、
前記サービスの変更依頼を前記通信回線に送出し、該サービスの変更依頼に対する応答に基づいて、前記電子タグ内のＩＣデータを書き換える電子タグ書き換え手段と、
を備えることを特徴とする携帯機器。
【請求項２】
前記電子タグが記憶しているＩＤコードは、書き換えることが出来ないことを特徴とする請求項１に記載の携帯機器。
【請求項３】
前記通信回線は、インターネットであることを特徴とする請求項１又は２に記載の携帯機器。
【請求項４】
前記通信回線は、電話回線であることを特徴とする請求項１又は２に記載の携帯機器。
【請求項５】
電子タグを有する携帯機器と通信回線によって接続されるサーバ装置であって、
前記電子タグを一意に識別するＩＤコードと、当該ＩＤコードを用いている複数のサービスについての情報を対応付けて記憶するデータベース手段と、
前記ＩＤコードを含む前記携帯機器からのサービスの変更依頼に対して、前記データベースから当該ＩＤコードに対応付けられた前記複数のサービスについての情報を読み出し、変更を依頼されたサービスについての情報を前記携帯機器に返信するサービス変更手段と、
を備えることを特徴とするサーバ装置。
【請求項６】
前記サービス変更手段は、前記サービスの変更依頼に対して、前記携帯機器の認証を行ない、認証が得られたとき、前記変更を依頼されたサービスについての情報を前記携帯機器に返信することを特徴とする請求項５に記載のサーバ装置。
【請求項７】
前記データベース手段が記憶する、前記サービスについての情報は、そのサービスについての変更回数を含み、前記認証は、前記サービスの変更依頼と共に前記携帯機器から受信した変更回数と前記データベース手段が記憶する変更回数を比較することによって行なうことを特徴とする請求項６に記載のサーバ装置。
【請求項８】
前記データベース手段が記憶する前記サービスについての情報は、そのサービスを変更することが出来るか否かを示すフラグ情報を含み、前記サービス変更手段は、前記フラグ情報が変更不可を示しているとき、前記サービスの変更依頼に対する返信として、サービスの変更が出来ない旨を前記携帯機器に通知することを特徴とする請求項５乃至７に記載のサーバ装置。
【請求項９】
前記データベース手段が記憶する前記サービスについての情報は、そのサービスを使用することが出来るか否かを示すフラグ情報を含み、前記サービス変更手段は、前記フラグ情報が使用不可を示しているとき、前記サービスの変更依頼に対する返信として、サービスの使用が出来ない旨を前記携帯機器に通知することを特徴とする請求項５乃至８に記載のサーバ装置。
【請求項１０】
電子タグを有する携帯機器内で実行されるプログラムであって、
通信回線と接続する機能と、
サービス提供者から供与するサービスの変更依頼を前記通信回線に送出し、該サービスの変更依頼に対する応答に基づいて、前記電子タグ内のＩＣデータを書き換える機能と、
を実現するプログラム。
【請求項１１】
電子タグを有する携帯機器と通信回線によって接続されるサーバ装置で実行されるプログラムであって、
前記電子タグを一意に識別するＩＤコードを含む前記携帯からのサービスの変更依頼に対して、前記ＩＤコードと、当該ＩＤコードを用いている複数のサービスについての情報を対応付けて記憶する前記データベースから当該ＩＤコードに対応付けられた前記複数のサービスについての情報を読み出す機能と、
前記読み出した複数のサービスについての情報に基づいて、変更を依頼されたサービスについての情報を前記携帯機器に返信する機能と、
を実現するプログラム。
【発明の詳細な説明】
【技術分野】
【０００１】
本発明は、非接触型電子タグ（ＲＦＩＤ：Radio Frequency ID）などの電子タグを用いた技術に関し、更に詳しくは、電子タグを内部に備えた携帯電話やＰＤＡ等の携帯機器に関する。
【背景技術】
【０００２】
データキャリアとなる非接触型電子タグの普及に伴ない、電子タグを用いた様々なシステムが提案され、また実用化されている。
例えば特許文献1には、電子タグを用いたチケット発券システムが提案されており、このシステムでは、会員ＩＤを記憶するデータキャリアとして電子タグを用い、チケットにこれを貼付して、会場へ入場する際にチェックに用いている。
【０００３】
また電子タグを内蔵したＩＣカードを定期券に用いる等の使用法も現在実現化されている。
【特許文献１】特開２００３−２２３５２５号公報（段落[００３０]〜［００３７］）
【発明の開示】
【発明が解決しようとする課題】
【０００４】
現在実現したり提案されている電子タグの使用方法としては、物品に貼付して用いたり、ＩＣカードに内蔵して用いることが考えられているが、これらの使用方法は、一つの電子タグを特定の使用方法に限定するものである。例えば電子タグを内蔵したカードの場合、カードリーダにより電子タグを読み取ってカードの所有者を特定してカードの所有者に対してサービスを行なう。
【０００５】
データキャリアとして電子タグを用いたサービスは、これからますます普及してゆくものと考えられるが、現在提案されている電子タグの使用形態では、サービスの種類が増えるとそれに応じて多数のカードを所有し、これらを使い分けなければならなくなる。
また従来型の場合、カードの盗難などに対してはＩＣカードを使用不能にしたい場合に対応できない。
【０００６】
本発明は、上記問題点を解決した電子タグを有する携帯機器、サーバ装置やプログラム及びその使用形態を提供することを課題とする。
【課題を解決するための手段】
【０００７】
上記問題点を解決する為、本発明による携帯機器は、電子タグ、通信手段及び電子タグ書き換え手段とを備える。
電子タグは、電子タグを一意に識別するＩＤコード、及びサービス提供者がサービスを供与する際に用いるＩＣデータを記憶する。電子タグでは、例えば、ＩＤコードは書き換え不可能な領域に、ＩＣデータは書き換え可能な領域に記憶している。
【０００８】
通信手段は、有線や無線の公衆回線、専用回線などを介してインターネット網や電話網等の通信回線と接続する。
電子タグ書き換え手段は、前記サービスの変更依頼を前記通信回線に送出し、該サービスの変更依頼に対する応答に基づいて、前記電子タグ内のＩＣデータを書き換える。
【０００９】
この構成により、供与するサービスを変更したいときは、通信回線と接続して、サービスの変更依頼を送信し、返信された情報に基づいて電子タグを書き換えることにより、様々なサービスに対応することが出来る。
また本発明は、電子タグを有する携帯機器と通信回線によって接続されるサーバ装置をその範囲に含む。
【００１０】
このサーバ装置は、前記電子タグを一意に識別するＩＤコードと、当該ＩＤコードを用いている複数のサービスについての情報を対応付けて記憶するデータベース手段と、前記ＩＤコードを含む前記携帯からのサービスの変更依頼に対して、前記データベースから当該ＩＤコードに対応付けられた前記複数のサービスについての情報を読み出し、変更を依頼されたサービスについての情報を前記携帯機器に返信するサービス変更手段と、を備える。
【００１１】
このサーバ装置は、前記サービス変更手段が、前記サービスの変更依頼に対して、前記携帯機器の認証を行ない、認証が得られたとき、前記変更を依頼されたサービスについての情報を前記携帯機器に返信するよう構成することも出来る。
この構成によって、前記サービスの変更依頼を行なった携帯機器に対する認証を行なうことが出来る。この認証には、例えばサービスを変更した変更回数を用いる。
【００１２】
また前記データベース手段が記憶する前記サービスについての情報が、そのサービスを変更することが出来るか否かを示すフラグ情報を含み、前記サービス変更手段は、前記フラグ情報が変更不可を示しているとき、前記サービスの変更依頼に対する返信として、サービスの変更が出来ない旨を前記携帯機器に通知する構成、或いは、前記データベース手段が記憶する前記サービスについての情報は、そのサービスを使用することが出来るか否かを示すフラグ情報を含み、前記サービス変更手段は、前記フラグ情報が使用不可を示しているとき、前記サービスの変更依頼に対する返信として、サービスの使用が出来ない旨を前記携帯機器に通知する構成としても良い。
【００１３】
また、本発明は携帯機器内や、この携帯機器と通信回線で接続するサーバ装置で実行されるプログラムもその範囲に含む。
【発明の効果】
【００１４】
本発明によれば、携帯機器外部からの指示に基づいて、電子タグ内のタグ情報を書き換えることが出来るので、電子タグとしての機能に汎用性を持たせることが出来、延いては複数のサービスの供与に対応することが出来る。よってユーザは、電子タグを内部に有するカード等を複数持つ必要がない。
【００１５】
またタグ情報を携帯機器外部のサーバ内に持つので、盗難等に対してもサービスを停止することによって対応することが出来る。
【発明を実施するための最良の形態】
【００１６】
以下に本発明に係る一実施形態を図面を参照しながら説明する。
以下の例では、本発明による携帯機器として携帯電話に適用した場合を例として示すが、尚本発明による携帯機器としては、携帯電話やＰＳＨのみに限らず、ＰＤＡや携帯ゲーム器等、情報処理機能と通信機能を備えた携帯可能な機器であれば他のものでも良い。
【００１７】
本実施形態の携帯機器は、通信回線を介して電子タグ内のタグ情報を管理するＩＤ管理サーバと接続することにより、受けたいサービスに応じて携帯機器内部の電子タグのタグ情報を書き換える。これによって、１つの電子タグを複数のサービスに用いることが出来る。
【００１８】
図１は本実施形態による携帯機器を携帯電話として構成した場合の構成例を示すブロック図である。
図１の携帯電話は、高周波回路部３、音声制御部４、音声入出力部５、制御部６、表示部７及び入力部８を有している。
【００１９】
高周波回路部３は、指定されたチャンネルに対応する周波数の電波の送受信処理を行なうユニットである。高周波回路部３は、制御部６により指定されたチャンネルで受信した信号を、呼出信号やチャンネル情報などの非音声信号の場合は制御部６へ、音声信号の場合は音声制御部４へ送る。また高周波回路部３は、制御部６から出力される着信応答信号、発呼要求信号、ダイヤルデータなどの非音声信号や、音声制御部４から出力される音声信号を対応する高周波電気信号に変換してアンテナ９から出力する。音声制御部４は、高周波回路部３からの音声電気信号を音声入出力部５へ出力し、また音声入出力部５からの音声電気信号を高周波回路部３へ出力するユニットである。音声入出力部５は、制御部６の制御の下に、音声制御部４からの音声電気信号をスピーカ５２へ送り、またマイクロホン５１からの音声電気信号を音声制御部４へ出力するユニットである。スピーカ５２は音声入出力部５からの音声電気信号を音声に変換して外部に出力するユニットであり、マイクロホン５１は入力された音声波を電気信号に変換して音声入出力部５に出力するユニットである。制御部６は、図１の携帯電話全体の制御を司る部分で、内部にファームウエアとして記憶する制御プログラムに基づいて、機器内の各回路部に制御信号を送り、それらの動作を指示・制御する。表示部７は、液晶等によって構成された表示ユニットで、制御部６の制御指示に基づいて、液晶を駆動させて表示を行なう。入力部８は、ユーザが操作するダイヤルスイッチ等で構成される入力ユニットであり、この入力部８に対する操作は制御部６に通知され、制御部６はこの通知から、ユーザの操作指示に基づいた動作を実現する為に各ユニットを制御指示する。アンテナ９は、受信電波を受けて対応する電気信号を高周波回路部３に送り、また高周波回路部３からの電気信号を電波に変換して外部に出力するユニットである。
【００２０】
また図１の携帯電話は、その特徴として電子タグとして機能するＲＦ-ＩＤ回路部１及びそのアンテナ２を有している。
ＲＦ-ＩＤ回路部１は、アンテナ２から受信した電波によって電力を発生させ、その電力によってＩＤコード等を、受信した電波に対する応答として携帯アンテナ２から外部へ出力することによって電子タグとして機能する。
【００２１】
このＲＦ-ＩＤ回路部１は、内部に記憶しているタグ情報を制御部６からの指示によって書き換えることが出来る。よってＲＦ-ＩＤ回路部１は、携帯機器を通信回線に接続し、その回線を介して外部からタグ情報を書き換えることにより、電子タグとして複数のサービスに対応でき、機能に汎用性を持たせることが出来る。本実施形態の携帯機器が備えた電子タグは、ＲＦ-ＩＤ回路部１はセミナー受講や広告情報や付帯情報等などセキュリティがそれほど要求されないものに対する使用を対象としているが、認証を強化する等何らかの方法によりセキュリティを向上させることにより、高いセキュリティを要求される用途にも用いることが出来る。
【００２２】
図２は図１のＲＦ−ＩＤ回路部１の内部構成を示すブロック図である。
図２のＲＦ−ＩＤ回路部１は、蓄積部１１、整流平滑部１２、送受信部１３、ＣＰＵ１４、ＥＥＰＲＯＭ１５及びスイッチ１６を有する。
送受信部１１は、アンテナ２で受信された電波を検波し、また送信の際はＥＥＰＲＯＭ１５に格納されている情報を変調してアンテナ２から出力する。整流平滑部１２は、送受信部１３で検波された信号を直流電圧または直流電流に変換する。蓄積部１３は、受信電波により得られた電気エネルギーを蓄積しておき、電波送信時等に使用する電気エネルギーとして利用する。ＣＰＵ１４は、内部にファームウエアとして記憶する制御プログラムに基づいてＲＦ−ＩＤ回路部１全体の制御を行なうもので、アンテナ２から受信した信号を解析し、その結果に基づいてＥＥＰＲＯＭ１５内の情報をアンテナ２を介して外部に出力したり、ＥＥＰＲＯＭ１５内の情報を書き換えたりする。またＣＰＵ１４は、バスライン１７によって制御部６と繋がっており、このバスライン１７からの指示に基づいて、ＥＥＰＲＯＭ１５内のデータを制御部６に送出したり、ＥＥＰＲＯＭ１５内のデータを書き換えたりする。ＥＥＰＲＯＭ１５は、不揮発性半導体メモリからなり、タグの識別コードとなるＩＤコードなど電子タグとして使用する為に必要なタグ情報を記憶する。ＥＥＰＲＯＭ１５は、後述するように、書き換え可能な記憶領域と書き換えが出来ない記憶領域とを持つ。スイッチ１６は、電力を供給する為のもので、制御部６からのスイッチ制御ラインによって蓄積部１１と電源ラインとのＯＮ／ＯＦＦを切り替える。スイッチ１６は、制御部６からの指示によってＣＰＵ１１がＥＥＰＲＯＭ１５からデータ読み書きを行なうときに、ＯＮとなりＣＰＵ１４及びＥＥＰＲＯＭ１５に電力を供給する。これにより、図示しないタグリーダ/ライタからの電波をアンテナ２で受信できない状況下であっても、携帯電話の制御部６から電子タグをアクセスできる。
【００２３】
尚図２は、ＲＦ-ＩＤ回路部１は、スイッチ１６がＯＮとなっているとき以外、受信電波から得られた電力によって駆動する構成となっているが、電波からの電力に加え携帯電話などの携帯機器の電池等から常に、もしくは電子タグから送受信時に電力が供給され、この電力によって駆動する構成としても良い。
【００２４】
このような構成により、ＲＦ-ＩＤ回路部１は、アンテナ２によってタグリーダ/ライタからの電波を受信することにより、ＥＥＰＲＯＭ１５内のタグ情報にアクセスするだけでなく、制御部６からの指示によっても、アクセスすることが出来る。これにより、携帯機器側からの指示制御、例えば携帯機器を通信回線に接続し、その通信回線介しての指示、或いは携帯機器に備えられている入出力装置から指示することにより、ＥＥＰＲＯＭ１５内のタグ情報にアクセスすることが出来る。
【００２５】
図３は、ＥＥＰＲＯＭ１５内に記憶されるタグ情報を示す図である。
ＥＥＰＲＯＭ１５は、書き換えが可能な記憶領域と書き換えが不可で読み出しのみの記憶領域を持ち、タグ情報として、書き換え不可の領域にはＩＤコードが、また書き換えが可能な領域には書き換え回数及びＩＣデータが記憶されている。
【００２６】
ＩＤコードは、各電子タグを一意に識別する識別コードで、各電子タグにそれぞれ異なった値が付せられる。サービス提供者側は、リーダ等によりこのＩＤコードを電子タグから読み出して、その電子タグ（電子タグを所有しているユーザ）を特定する。変更回数は、このＥＥＰＲＯＭ１５内のＩＣデータを書き換えた回数で、この値を後述するサービス変更処理において認証用の情報として用いる。ＩＣデータは、サービス提供者がサービスを行なうために用いるデータである。このＩＣデータは、サービス提供時に読み出されたり書き換えられたりする。また、このＥＥＰＲＯＭ１５内のＩＣデータは、制御部６の指示によって受けたいサービスの内容に応じて変更することが出来る。この例では、書換可能なタグ情報として、変更回数とＩＣデータを有する。
【００２７】
図４は、携帯機器内のＲＦ-ＩＤ回路部１にタグ情報の設定を行なうシステムの構成例を示す図である。
同図のシステムでは、上述した携帯機器３１が、ＩＤ管理サーバ３２、サービス提供サーバ３３と電話回線やインターネット等の通信回線３４によって接続されている。
【００２８】
ＩＤ管理サーバ３２は、ＩＤコードの管理を行なうネットワークサーバで、携帯機器３１からの要求により、携帯機器３内のＩＣデータを、ＩＤデータベース３５に登録されている各種サービスに対応するＩＣデータに書き換える。サービス提供サーバ３３は、携帯機器３１のユーザに様々なサービスを提供するサービス提供者のサーバである。サービス提供者は、ＩＤデータベース３４に登録されているＩＤコードを持つ電子タグの携帯機器３１のユーザに様々なサービスを提供する。またサービス提供者は、新規サービスを登録したりサービスを停止したりしたい場合に、サービス提供サーバ３３によって、ＩＤ管理サーバ３２に要請を行ない、ＩＤ管理サーバ３２はこの要求を受けて、ＩＤデータベースの対応ＩＤコードのレコードを書き換える。
【００２９】
このような、システムにおいて、携帯機器３１のユーザが、現在携帯機器３１のタグに登録されているサービスとは別のサービスを受けようと思った場合に、登録されているサービスを変更する時の動作処理を説明する。
電子タグを用いてサービスを受けようと思うユーザは、リーダによって携帯機器３１内のタグ情報を読み出させる前に、携帯機器３１に設定されている現在のサービスを確認し、これから受けようと思うサービスと異なる場合、携帯機器３１を通信回線３４を介してＩＤ管理サーバ３２と接続し、設定されているサービスの変更を要請する（サービス変更処理）。この要請を受けるとＩＤ管理サーバ３２は、携帯機器３１の認証終了後、ＩＤデータベース３５に登録されているサービスから次に設定するサービスをユーザに選択させ、携帯機器３１内の電子タグ内のＩＣデータを選択されたサービスに対応するＩＣデータに書き換える。
【００３０】
この処理によって、携帯機器３１は電子タグとして複数のサービスに対応することが出来、ユーザは希望のサービスを携帯機器３１を電子タグとして用いて供与することが出来る。
図５は、携帯機器３１で行なわれるサービスの変更処理時の動作処理を示すフローチャートである。本処理は、携帯機器３１のユーザが、現在携帯機器３１のタグに登録されているサービスとは別のサービスにタグを用いたい場合に、そのサービスに携帯機器３１に登録されているサービスを変更する場合に行なわれる処理である。同図の処理は、携帯機器３１内の制御部６が内部に記憶している制御プログラムを実行することによって実現される。なお、現在電子タグで使用されているサービス名及び利用可能なサービス名は制御部６内の図示しない記憶部に記憶されている。
【００３１】
本処理が開始されるとまずステップＳ１として、現在電子タグが使用されているサービス名を表示部７に表示し、指示入力待ちとなる。この表示をみてユーザが、入力部８を操作入力すると、それがサービス変更指示であるかどうかを判断する。そして、サービス変更指示以外の指示であるならば（ステップＳ２、Ｎ）、ステップＳ１８としてユーザによる入力指示に基づいたサービス変更処理以外の処理を行ない、本処理を終了する。
【００３２】
ステップＳ２でユーザの入力指示が、サービス変更指示であると判断したならば（ステップＳ２、Ｙ）、ステップＳ３としてサービス変更処理へログインを行なうログイン画面を表示部７に表示する。
この表示画面上からユーザがログインの為の暗証コードを入力するとステップＳ４として入力されたこの暗証コードと、制御部６内に設定されている暗証コードを比較し、一致しなければ（ステップＳ４、不一致）、処理をステップＳ３に戻して暗証コードを再度入力させる。またここユーザによってログインのキャンセルが指示されれば（ステップＳ４、キャンセル）、ステップＳ１８に処理を移してその他の処理を行なった後本処理を終了する。
【００３３】
ステップＳ４で暗証コードが一致すれば（ステップＳ４、一致）、サービス変更処理にログインし、ステップＳ５として制御部６に記憶されている利用可能なサービス名を一覧表示し（ステップＳ５）、ユーザが変更するサービス名を指定入力するのを待つ（ステップＳ６、Ｎ）。
【００３４】
ユーザから変更するサービスの指定入力があると（ステップＳ６、Ｙ）、ステップＳ７で、ＲＦ−ＩＤ回路部１内のＥＥＰＲＯＭ１５内のＩＤコード、変更回数、ＩＣデータを読出して、制御部６内の記憶部に記憶されている現在のサービス名及び変更するサービス名をＩＤ管理サーバ３２へ送信し、応答を待つ。
【００３５】
そしてＩＤ管理サーバ３２から応答を受信し（ステップＳ７）、その内容がサービスの使用不可を示すものであれば（ステップＳ９、Ｙ）、ステップＳ１４としてＲＦ−ＩＤ回路部１内のＩＣデータをクリアし、またステップＳ１５として制御部１６に登録されている利用可能なサービス名の一覧から現在のサービス名をクリアした後、ステップＳ１７に処理を移してサービス変更処理からログアウトする。
【００３６】
またステップＳ７で受信した応答が、サービスの変更不可を示すものであるならば（ステップＳ９、Ｎ：ステップＳ１０、Ｙ）、ステップＳ１６として変更不可を表示部に表示して通知した後、処理をステップＳ１８に移してサービス変更処理からログアウトする。
ステップＳ７で受信した応答が、サービスの使用不可や変更不可を示すものでなく、変更後のサービス名、ＩＣデータ及び変更回数であったなら（ステップＳ９、Ｎ：ステップＳ１０、Ｎ）、ステップＳ１１としてＲＦ−ＩＤ回路部１１へ受信したＩＣデータ及び変更回数を書き込み、また受信したサービス名を現在設定されているサービス名として設定する。
【００３７】
そして、ステップＳ１２としてサービス変更処理からログアウトし、ステップＳ１３として変更後のサービス名を表示部７に表示して処理を終了する。
図６は、サービス変更処理時におけるＩＤ管理サーバ３２の動作処理を示すフローチャートである。
【００３８】
ＩＤ管理サーバ３２は、ステップＳ２１として、通信回線を介して携帯機器３１が、ステップＳ７で送信したＩＤコード等を受信すると、ステップＳ２２として受信したＩＤコードを検索キーとしてＩＤデータベース３５を検索する。その結果、そのＩＤコードのレコードに変更するサービス名が無ければ、ステップＳ２７として携帯機器３１に対して変更不可の応答をして処理を終了する。
【００３９】
ＩＤデータベース３５の検索結果、そのＩＤコードのレコードに変更するサービス名が有れば（ステップＳ２３、Ｙ）、ステップＳ２４としてそのサービスの変更不可フラグを参照する。そしてフラグが変更不可に設定されていたならば（ステップＳ２４、Ｙ）、ステップＳ２７として携帯機器３１に対して変更不可の応答をして処理を終了する。
【００４０】
ステップＳ２４で、フラグが変更不可に設定されていなければ（ステップＳ２４、Ｎ）、認証処理としてステップＳ２１で受信した変更回数をＩＤデータベース３５に記録されている変更回数と照合する（ステップＳ２５）。その結果一致しなれば（ステップＳ２６、Ｎ）、ステップＳ２７に処理を移し、携帯機器３１に対して変更不可の応答をして処理を終了する。
【００４１】
ステップＳ２６で変更回数が一致すれば（ステップＳ２６、Ｙ）、ステップＳ２８としてそのＩＤコードのレコードに現在のサービスのサービス名が有るかどうかを調べ、無ければ（ステップＳ２８、Ｎ）、ステップＳ２９としてそのサービス名をデータベースの対応レコードに書き込んで登録し、処理をステップＳ３３に移す。
【００４２】
ステップＳ２８で、現在のサービスのサービス名が有れば（ステップＳ２８、Ｙ）、ステップＳ３０として現在のサービスの使用不可フラグを参照する。そしてフラグが使用不可に設定されていたならば（ステップＳ３０、Ｙ）、ステップＳ３２として携帯機器３１に対して使用不可の応答をして処理を終了する。使用不可フラグはＩＣデータベース３５にＩＤコードやサービス名と対応して記憶され、ＩＤ管理サーバ３２が、携帯機器３１もしくはその他の通信手段によってユーザなどから使用不可の申請を受理した場合に使用不可フラグが設定される。例えば携帯機器３１を紛失した場合やサービス提供者側でサービスを停止した場合である。
【００４３】
ステップＳ３０で、フラグが使用不可に設定されていなければ（ステップＳ３０、Ｎ）、ステップＳ２１で受信したＩＣデータを照合して整合性をチェックし、その結果問題があり使用できなければ（ステップＳ３１、使用不可）、ステップＳ３２として携帯機器３１に対して使用不可の応答をして処理を終了する。
【００４４】
ステップＳ３１で整合性に問題が無ければ（ステップＳ３１、使用可）、ステップＳ３３として対応レコード内の変更履歴を更新し、またステップＳ３４として変更回数に１を加えて更新する。そしてステップＳ２１で携帯機器３１から受信したＩＣデータをそのサービス名の位置に書き込んで登録する（ステップＳ３５）。
【００４５】
ＩＣデータベース３５の更新が終了すると、ＩＣデータベース３６として変更する新たなサービス名、そのサービスのＩＣデータ及び変更回数を携帯機器３１に送信して処理を終了する。
図７は、ＩＣデータベース３５に登録されているＩＣデータのレコードの構成例を示す図である。
【００４６】
ＩＣデータベース３５には、各ＩＤコード毎にレコードが構成され、一つのレコードには、複数のサービスが登録されている。同図の場合、サービス１、サービス２、・・・とそのＩＤコードを用いているサービスとそのサービスに対する種々の情報が記録されている。
【００４７】
各レコードには、そのＩＤコードを用いているサービス単位で、そのＩＣデータを用いているサービスのサービス名とそのサービスで用いられるＩＣデータ、そのサービス現在使用可能かどうかを示す使用不可フラグ、そのサービスを他のサービスに変更可能かどうかを示す変更不可フラグ、どのサービスから変更されたかまた／若しくはどのサービスへ変更したかを示す変更履歴、変更を行なった回数を示す変更回数が記憶されている。
【００４８】
ＩＤ管理サーバ３２は、携帯機器３１からサービスの変更以来があると、受信したＩＤコードに対応するレコードを読み出し、変更するサービスのＩＣデータを読み出して携帯機器３１に返信して電子タグ内に書き込むと共に、受信したＩＣデータを対応するサービスのＩＣデータとして書き込んで更新する。これによって携帯機器３１の電子タグの対応サービスの変更が実現される。
【００４９】
図８は、ＩＤ管理サーバ３２を構成する情報処理装置のシステム環境を示す図である。
本実施形態におけるＩＤ管理サーバ３２は、図８に示す様にＣＰＵ８１、主記憶装置８２、ハードディスク等の補助記憶装置８３、ディスプレイ、キーボード等の入出力装置（Ｉ／Ｏ）８４、通信回線３４との接続を行なうモデム等のネットワーク接続装置８５及びディスク、磁気テープなどの可搬記憶媒体８７から記憶内容を読み出す媒体読取り装置８６を有し、これらが互いにバス８８により接続される構成を備えている。
【００５０】
図８の情報処理装置は、媒体読取り装置８６により磁気テープ、フロッピー（登録商標）ディスク、ＣＤ−ＲＯＭ、ＭＯ等の記憶媒体８７に記憶されているプログラム、データを読み出し、これを主記憶装置８２または補助記憶装置８３にダウンロードする。そしてこのプログラムやデータに基づいて、ＣＰＵ８１が実行処理を行なうことにより、上記したサービス変更処理やサービス提供時等のＩＤデータベース３５へのアクセス処理の機能を実現する。また携帯機器３１の盗難等に対して、このＩＣデータベース３５内の対応ＩＤコードのレコードの全てのサービスの使用不可フラグを使用不可に設定することによって対処することが出来る。
【００５１】
このように本実施形態の携帯機器は、外部からの指示によってＲＦ−ＩＤ回路部１ａ内のタグ情報を書き換えることが出来るので、必要に応じてタグ情報を書き換えることにより一つの携帯機器３１で、様々なサービスに対応することが出来る。
尚上述した処理は、携帯機器３１とＩＤ管理サーバ３２の間の接続を通信回線３４によって行なうことを前提としていたが、携帯機器３１が電話回線を用いて直接、携帯機器３１とＩＤ管理サーバ３２の間の接続を行なうようにしても良い。
【００５２】
また電子タグとして非接触型電子タグを用いていたが、ＲＦＩＤに限らず他の電子タグであっても良い。
【図面の簡単な説明】
【００５３】
【図１】本実施形態による携帯機器の構成例を示すブロック図である。
【図２】ＲＦ−ＩＤ回路部の内部構成を示すブロック図である。
【図３】ＥＥＰＲＯＭ内に記憶されるタグ情報を示す図である。
【図４】携帯機器内のＲＦ-ＩＤ回路部にタグ情報の設定を行なうシステムの構成例を示す図である。
【図５】携帯機器で行なわれるサービスの変更処理時の動作処理を示すフローチャートである。
【図６】サービス変更処理時におけるＩＤ管理サーバの動作処理を示すフローチャートである。
【図７】ＩＤデータベースのレコード構成を示す図である。
【図８】ＩＤ管理サーバを構成する情報処理装置のシステム環境を示す図である。
【符号の説明】
【００５４】
１          ＲＦ−ＩＤ回路部
２          アンテナ
３          高周波回路部
４          音声制御部
５          音声入出力部
６          制御部
７          表示部
８          入力部
１１        蓄積部
１２        整流平滑部
１３        送受信部
１４        ＣＰＵ
１５        ＥＥＰＲＯＭ
１６        スイッチ
１７        バスライン
【図１】
2005109652.tif 000003
【図２】
2005109652.tif 000004
【図３】
2005109652.tif 000005
【図４】
2005109652.tif 000006
【図５】
2005109652.tif 000007
【図６】
2005109652.tif 000008
【図７】
2005109652.tif 000009
【図８】
2005109652.tif 000010